(57)【要約】【課題】  複数のＩＰ電話機の動作モードを時間帯に応じて集中的に管理するＩＰ電話システム、ネットワーク管理サーバおよびＩＰ電話機を提供する。【解決手段】  複数のＩＰ電話機とネットワーク管理サーバ１０がネットワーク接続されたＩＰ電話システムにおいて、各ＩＰ電話機は選択した個別動作モードで動作するための個別動作モード設定手段を備え、管理データベース２１には、個々のＩＰ電話機に対応してネットワーク設定、通信設定の初期設定値を登録するとともに、個別動作モードの設定値を登録し、ネットワーク管理サーバ１０は各ＩＰ電話機の動作モードを稼働時間帯毎に制御する動作モードスケジュールテーブル１２５と、時間監視手段１２３とを備え、時間監視手段が稼働時間帯を検出し、前記動作モードスケジュールテーブルに設定された動作モードに基づいて各ＩＰ電話機の動作モードを変更する変更指示を送出する。【選択図】        図１
2005277694.tif 000002
【特許請求の範囲】
【請求項１】
ＬＡＮを経由してインターネットに接続される複数のＩＰ電話機と、各ＩＰ電話機を登録した管理データベースを有するネットワーク管理サーバからなるＩＰ電話システムであって、
各ＩＰ電話機は、選択した個別動作モードで動作するための動作モード設定手段を備え、
前記管理データベースには、ネットワーク管理サーバに登録された個々のＩＰ電話機に対応してネットワーク設定、通信設定の初期設定値を登録するとともに、個別動作モードの設定値を登録し、前記ネットワーク管理サーバは、各ＩＰ電話機の動作モードを稼働時間帯毎に制御する動作モードスケジュールテーブルと、時間監視手段とを備え、
前記時間監視手段が稼働時間帯を検出し、前記動作モードスケジュールテーブルに設定された動作モードに基づいてネットワーク上に接続された各ＩＰ電話機の動作モードを変更する変更指示を前記各ＩＰ電話機に送出するようになしたことを特徴とするＩＰ電話システム。
【請求項２】
前記ネットワーク管理サーバは、バックアップ手段を備え、各ＩＰ電話機がネットワーク管理サーバから動作モード変更指示を受信して動作モードを変更する際、各ＩＰ電話機毎に設定された個別の動作モード設定値をバックアップし、各ＩＰ電話機が個別動作モードに復帰する際に該個別動作モードの設定値を復元可能になしたことを特徴とする請求項１に記載のＩＰ電話システム。
【請求項３】
前記ＩＰ電話機は、バックアップ手段を備え、ＩＰ電話機がネットワーク管理サーバから動作モード変更指示を受信して動作モードを変更する際、該ＩＰ電話機に設定された個別の動作モード設定値をバックアップし、各ＩＰ電話機が個別動作モードに復帰する際に該個別動作モードの設定値を復元可能になしたことを特徴とする請求項１に記載のＩＰ電話システム。
【請求項４】
ＬＡＮを経由してインターネットに接続されるＩＰ電話機であって、選択した個別動作モードで動作するための動作モード設定手段を備えた複数のＩＰ電話機を登録した管理データベースを有するネットワーク管理サーバにおいて、
前記管理データベースには、ネットワーク管理サーバに登録された個々のＩＰ電話機に対応してネットワーク設定、通信設定の初期設定値を登録するとともに、個別動作モードの設定値を登録し、前記ネットワーク管理サーバは、各ＩＰ電話機の動作モードを稼働時間帯毎に制御する動作モードスケジュールテーブルと、時間監視手段とを備え、
前記時間監視手段が稼働時間帯を検出し、前記動作モードスケジュールテーブルに設定された動作モードに基づいてネットワーク上に接続された各ＩＰ電話機の動作モードを変更する変更指示を前記各ＩＰ電話機に送出するようになしたことを特徴とするネットワーク管理サーバ。
【請求項５】
前記ネットワーク管理サーバは、バックアップ手段を備え、各ＩＰ電話機がネットワーク管理サーバから動作モード変更指示を受信して動作モードを変更する際、各ＩＰ電話機毎に設定された個別の動作モード設定値をバックアップし、各ＩＰ電話機が個別動作モードに復帰する際に該個別動作モードの設定値を復元可能になしたことを特徴とする請求項４に記載のネットワーク管理サーバ。
【請求項６】
選択した個別動作モードで動作するための動作モード設定手段を備えた複数のＩＰ電話機を登録した管理データベースを有するネットワーク管理サーバであって、前記管理データベースには、ネットワーク管理サーバに登録された個々のＩＰ電話機に対応してネットワーク設定、通信設定の初期設定値を登録するとともに、個別動作モードの設定値を登録し、前記ネットワーク管理サーバは、各ＩＰ電話機の動作モードを稼働時間帯毎に制御する動作モードスケジュールテーブルと、時間監視手段とを備え、
前記時間監視手段が稼働時間帯を検出し、前記動作モードスケジュールテーブルに設定された動作モードに基づいてネットワーク上に接続された各ＩＰ電話機の動作モードを変更する変更指示を前記各ＩＰ電話機に送出するネットワーク管理サーバに接続されるＩＰ電話機において、
前記ＩＰ電話機は、バックアップ手段を備え、ＩＰ電話機がネットワーク管理サーバから動作モード変更指示を受信して動作モードを変更する際、該ＩＰ電話機に設定された個別の動作モード設定値をバックアップし、各ＩＰ電話機が個別動作モードに復帰する際に該個別動作モードの設定値を復元可能になしたことを特徴とするＩＰ電話機。
【発明の詳細な説明】
【技術分野】
【０００１】
本発明は、インターネット電話システム、インターネット電話を管理するネットワーク管理用サーバ、インターネット電話機に関するものであり、特に、複数のＩＰ電話機（インターネット電話機）の動作モードを時間帯に応じて集中的に管理するＩＰ電話システム、ネットワーク管理サーバおよびＩＰ電話機に関するものである。
【背景技術】
【０００２】
ＩＰ電話機は、アナログ音声をデジタル音声データに変換する変換機能を有し音声や映像の送受信が可能である。これらのデータの送受信に関しては、呼制御サーバ、設定管理サーバ、ゲートキーパ、コールエージェント等のインターネット電話用サーバ、もしくはパソコンがＩＰ電話機の動作を管理している。これらのインターネット電話用サーバは、使用しているプロトコルにより呼び方が異なっているのであるが、基本的には端末であるＩＰ電話機の登録、接続先の解決（呼制御）、帯域や接続数の管理を行うものである。具体的には上記のサーバ（以下、ネットワーク管理サーバと称する）が定期的もしくは非同期的にＩＰ電話機へアクセスしたり、ＩＰ電話機に定期的にアクセスさせたりして網アクセス制御、呼制御、端末間制御、データ送受信制御等を行う。
一般のＩＰ電話システムは、図６に示すように、複数のＩＰ電話機Ａ〜ＩＰ電話機Ｄと、呼制御サーバや各種設定管理を行う設定管理サーバなどのネットワーク管理サーバ、あるいは、システム管理者がウエブ設定画面を介してＩＰ電話機Ａ〜ＩＰ電話機Ｄの管理操作を行うために使用する管理者ＰＣ装置（コンピュータ装置）とがＬＡＮ等のネットワークを経由して接続され、インターネット網を介して他のネットワークに接続されたＩＰ電話機と通話し、あるいは、ゲートウエイと公衆網を経由して加入者電話機と通話するように構成されている。
【０００３】
このようなＩＰ電話機が呼制御サーバ等のネットワーク管理サーバのもとで他のネットワークに接続されたＩＰ電話機と通信を行うためには、ネットワーク機器としてネットワーク上で他の機器と通信するためのネットワークの設定と、呼制御サーバや設定管理サーバ等のネットワーク管理サーバへのＩＰ電話機の登録と、ＩＰ電話機として通信するための初期設定とが必要である。ネットワークの設定は、例えば、ＤＨＣＰ(Dynamic Host Configuration Protocol)サーバなどによりネットワーク端末としての通信パラメータを設定することにより行われる。この設定によりＩＰ電話機はネットワーク接続された呼制御サーバ等のネットワーク管理サーバと通信することが可能となり、該サーバへのＩＰ電話機としての登録および初期設定値の設定が可能となる。
【０００４】
ＩＰ電話機としての登録は、ＩＰ電話機のＭＡＣアドレスをネットワーク管理サーバに登録することで行われる。ＭＡＣアドレスとは、ネットワークに接続されているネットワーク端末を特定するために使われるものであり、「イーサネット（登録商標）・アドレス」や「物理アドレス」、「ハードウェア・アドレス」などとも呼ばれている。ＭＡＣアドレスは、イーサネット（登録商標）・インターフェイスごとに割り当てられている番号で、１つのネットワーク端末が複数のイーサネット（登録商標）・インターフェイスを持つ場合は、それぞれのインターフェイスごとに異なるＭＡＣアドレスが割り当てられる。このＭＡＣアドレスは「物理アドレス」であり、先のＤＨＣＰはＩＰアドレスをソフト的に変更されるので、一般にはＭＡＣアドレスとＩＰアドレスとが対になってネットワーク管理サーバに登録される。
【０００５】
端末がＩＰ電話機として機能するためには初期設定が必要である。初期設定の項目としては、例えば、電話番号、ネットワーク管理サーバにログインするためのユーザーＩＤ、パスワード、着信先に表示する表示名、外線、内線の着信音や着信メロディーなどがあり、これらの初期設定値は該当するＩＰ電話機のＭＡＣアドレスと対応付けてネットワーク管理サーバの管理データベースにシステム管理者が登録することよって設定され、ＩＰ電話機側にも同様の初期設定値が書き込まれＩＰ電話機として動作可能となる。ＩＰ電話機への初期設定値の書き込みは、通常、ネットワーク管理サーバやＩＰ電話機自身に用意された操作画面、キーを用いてシステム管理者や専門業者等が手動で設定する方法がとられる。最近では、ＩＰ電話機がパワーオンした時にネットワーク管理サーバにログインしてＭＡＣアドレスを送信し、ネットワーク管理サーバからＭＡＣアドレスに対応する初期設定値をＩＰ電話機にダウンロードする方法も考慮されている。
【０００６】
ＩＰ電話機は、省エネルギー、環境、機能の観点から省電力、消音、留守録、自動転送などの動作モードの設定が可能であり、個々のＩＰ電話機毎に予め設定した個別動作モードで稼働させることができる。通常これらの動作モードは個々のＩＰ電話機のユーザーの設定に任され、端末の登録やネットワークの設定値とともにＩＰ電話機の初期設定項目としてネットワーク管理サーバにも登録される。
【０００７】
このように、動作モードの設定は個々のＩＰ電話機側で行うこともできるが、その場合にはネットワーク管理サーバに初期設定値の変更要求を送りＩＰ電話機側での設定値に変更して有効になるようにする必要がある。なぜならば、ネットワーク管理サーバ側の初期設定値とＩＰ電話機側の設定値とは、ネットワーク管理サーバへのログオン時、あるいは、周期的な端末登録手順においてネットワーク管理サーバに登録された初期設定値とＩＰ電話機側に保存する初期設定値の照合が行われ、相違が生じた場合には、ネットワーク管理サーバ側の初期設定値を優先してＩＰ電話機側の初期設定値を更新するなどの方法がとられているからである。
【０００８】
しかしながら、このような動作モード設定の方法では、個々のＩＰ電話機の動作モードがユーザーの設定に任されるため、ＩＰ電話システム全体としてみた場合、所期の目的とした省エネルギー効果や消音効果が十分に得られないという問題点が生じる。これを改善するために、パーソナルコンピュータやファクシミリ装置などの電子機器においては、各種の試みがなされている。
【０００９】
例えば、下記の特許文献１（特開平７−１８３９７７号公報）には、曜日や時間帯ごとに稼働頻度を集計し、稼働頻度が低くなる時間帯になると自動的に省エネルギーモードで運転されるように切換えるファクシミリ装置が開示されている。このファクシミリ装置は、時間帯毎の受信頻度に応じて、通常モードと省電力モードとを適切に自動切換設定するものであり、電子写真記録方式のプリンタは、通常モード時に動作し、省電力モード時に停止する。メモリは、受信データを蓄積し、集計手段は、所定のサンプル期間毎の受信頻度を時間帯別に集計し、サンプル期間の翌日の実行日の集計データとする。モード切換手段は、前日までのサンプル期間中の集計データから、受信頻度の高い時間帯を通常モード、受信頻度の低い時間帯を省電力モードにするものである。
【００１０】
また、下記の特許文献２（特開２００３−５８７３号公報）には、複数のコンピュータがネットワーク接続されたシステムにおいて、一方のコンピュータが他方のコンピュータに省エネモード切換えを指示し、他方のコンピュータは、モード切換えが可能ならば省エネモードに切換え、データ処理中などの原因で直ちにモード切換えができない場合はモード切換え可能になった時点で省エネモードに切換える遠隔制御方法が開示されている。この遠隔制御方法は、第１の情報処理装置及び少なくとも１つの第２の情報処理装置がネットワークを介して接続されたシステムにおいて、第２の情報処理装置は前記第１の情報処理装置とは独立して処理しうるものであって、第１の情報処理装置から省電力モードを指示する制御信号をネットワークに出力する第１のステップと、各第２の情報処理装置において、第２の情報処理装置が使用されていないことを条件として、制御信号に応答して第２の情報処理装置を省電力モードに移行する第２のステップとを含むように構成したものである。
【特許文献１】特開平７−１８３９７７号公報
【特許文献２】特開２００３−５８７３号公報
【発明の開示】
【発明が解決しようとする課題】
【００１１】
特許文献１に開示されたファクシミリ装置は、時間帯毎の受信頻度に応じて、通常モードと省電力モードとを適切に自動切換設定するものであり、使用頻度の集計により省電力の時間帯をできるだけ多くできるようにした省電力モードの管理であり、ネットワーク接続された複数の機器を管理装置によって集中管理することは考慮されていない。
【００１２】
また、特許文献２に開示された発明は、ネットワークに接続した管理装置が省電力モードを制御するが、管理側の第１の情報処理装置からの省電力モードへの変更の指令に対し、被管理側の第２の情報処理装置は自己の処理が空いていれば、自己の判断により省電力モードに移行する技術である。この技術はネットワーク接続された複数の機器を管理装置から集中管理するシステムに適用可能ではあるが、ＩＰ電話機のようにネットワーク管理装置と、該ネットワーク管理装置に登録されたＩＰ電話機における動作モードの集中管理に適用した場合のＩＰ電話機側の動作モード設定と、ネットワーク管理装置側に登録された動作モード設定との相互関係をどのように制御するかについて開示されておらず、直ちにＩＰ電話システムに適用できないという問題点がある。
【００１３】
本願の発明者は、前記の問題点を解消すべく種々検討を重ねた結果、ネットワーク管理サーバに各ＩＰ電話機の動作モードを稼働時間帯毎に制御する動作モードスケジュールテーブルを設け、稼働時間帯に応じて各ＩＰ電話機の動作モードを前記動作モードスケジュールテーブルに設定された動作モードに変更させることにより、前記問題点を解消し得ることに着目して本発明を完成するに至ったものである。ＩＰ電話機の動作モードを変更させた場合、各ＩＰ電話機に設定された個別動作モードの設定値はバックアップされ、ＩＰ電話機が個別の動作モードを復元可能な構成とすることによってこのような集中管理ができるようになる。
【００１４】
すなわち、本発明は前記の問題点を解消することを課題とし、複数のＩＰ電話機の動作モードを時間帯に応じて集中的に管理するＩＰ電話システム、ネットワーク管理サーバおよびＩＰ電話機を提供することを目的とするものである。
【課題を解決するための手段】
【００１５】
前記課題を解決するために、本願の請求項１に係る発明は、ＬＡＮを経由してインターネットに接続される複数のＩＰ電話機と、各ＩＰ電話機を登録した管理データベースを有するネットワーク管理サーバからなるＩＰ電話システムであって、
各ＩＰ電話機は、選択した個別動作モードで動作するための動作モード設定手段を備え、
前記管理データベースには、ネットワーク管理サーバに登録された個々のＩＰ電話機に対応してネットワーク設定、通信設定の初期設定値を登録するとともに、個別動作モードの設定値を登録し、前記ネットワーク管理サーバは、各ＩＰ電話機の動作モードを稼働時間帯毎に制御する動作モードスケジュールテーブルと、時間監視手段とを備え、
前記時間監視手段が稼働時間帯を検出し、前記動作モードスケジュールテーブルに設定された動作モードに基づいてネットワーク上に接続された各ＩＰ電話機の動作モードを変更する変更指示を前記各ＩＰ電話機に送出するようになしたことを特徴とする。
【００１６】
また、本願の請求項２に係る発明は、請求項１のＩＰ電話システムにおいて、ネットワーク管理サーバは、バックアップ手段を備え、各ＩＰ電話機がネットワーク管理サーバから動作モード変更指示を受信して動作モードを変更する際、各ＩＰ電話機毎に設定された個別の動作モード設定値をバックアップし、各ＩＰ電話機が個別動作モードに復帰する際に該個別動作モードの設定値を復元可能になしたことを特徴とする。
【００１７】
また、本願の請求項３に係る発明は、請求項１のＩＰ電話システムにおいて、ＩＰ電話機は、バックアップ手段を備え、ＩＰ電話機がネットワーク管理サーバから動作モード変更指示を受信して動作モードを変更する際、該ＩＰ電話機に設定された個別の動作モード設定値をバックアップし、各ＩＰ電話機が個別動作モードに復帰する際に該個別動作モードの設定値を復元可能になしたことを特徴とする。
【００１８】
また、本願の請求項４に係る発明は、ＬＡＮを経由してインターネットに接続されるＩＰ電話機であって、選択した個別動作モードで動作するための動作モード設定手段を備えた複数のＩＰ電話機を登録した管理データベースを有するネットワーク管理サーバにおいて、
前記管理データベースには、ネットワーク管理サーバに登録された個々のＩＰ電話機に対応してネットワーク設定、通信設定の初期設定値を登録するとともに、個別動作モードの設定値を登録し、前記ネットワーク管理サーバは、各ＩＰ電話機の動作モードを稼働時間帯毎に制御する動作モードスケジュールテーブルと、時間監視手段とを備え、
前記時間監視手段が稼働時間帯を検出し、前記動作モードスケジュールテーブルに設定された動作モードに基づいてネットワーク上に接続された各ＩＰ電話機の動作モードを変更する変更指示を前記各ＩＰ電話機に送出するようになしたことを特徴とする。
【００１９】
また、本願の請求項５に係る発明は、請求項４のネットワーク管理サーバにおいて、該ネットワーク管理サーバは、バックアップ手段を備え、各ＩＰ電話機がネットワーク管理サーバから動作モード変更指示を受信して動作モードを変更する際、各ＩＰ電話機毎に設定された個別の動作モード設定値をバックアップし、各ＩＰ電話機が個別動作モードに復帰する際に該個別動作モードの設定値を復元可能になしたことを特徴とする。
【００２０】
また、本願の請求項６に係る発明は、選択した個別動作モードで動作するための動作モード設定手段を備えた複数のＩＰ電話機を登録した管理データベースを有するネットワーク管理サーバであって、前記管理データベースには、ネットワーク管理サーバに登録された個々のＩＰ電話機に対応してネットワーク設定、通信設定の初期設定値を登録するとともに、個別動作モードの設定値を登録し、前記ネットワーク管理サーバは、各ＩＰ電話機の動作モードを稼働時間帯毎に制御する動作モードスケジュールテーブルと、時間監視手段とを備え、
前記時間監視手段が稼働時間帯を検出し、前記動作モードスケジュールテーブルに設定された動作モードに基づいてネットワーク上に接続された各ＩＰ電話機の動作モードを変更する変更指示を前記各ＩＰ電話機に送出するネットワーク管理サーバに接続されるＩＰ電話機において、
前記ＩＰ電話機は、バックアップ手段を備え、ＩＰ電話機がネットワーク管理サーバから動作モード変更指示を受信して動作モードを変更する際、該ＩＰ電話機に設定された個別の動作モード設定値をバックアップし、各ＩＰ電話機が個別動作モードに復帰する際に該個別動作モードの設定値を復元可能になしたことを特徴とする。
【発明の効果】
【００２１】
請求項１に係る発明においては、ネットワーク管理サーバに各ＩＰ電話機の動作モードを稼働時間帯毎に制御する動作モードスケジュールテーブルを設け、稼働時間帯に応じて各ＩＰ電話機の動作モードを前記動作モードスケジュールテーブルに設定された動作モードに変更させるものであるから、各ＩＰ電話機を時間帯によって、ネットワーク管理サーバに設定した動作モードで動作させることができるようになる。従って、ＩＰ電話システム全体での省電力効果、消音効果などを所期の目的としたレベルに近づけることができるようになる。
【００２２】
請求項２に係る発明においては、請求項１のＩＰ電話システムにおいて、ネットワーク管理サーバがバックアップ手段を備え、各ＩＰ電話機がネットワーク管理サーバから動作モード変更指示を受信して動作モードを変更する際、各ＩＰ電話機毎に設定された個別の動作モード設定値をバックアップするものであるから、各ＩＰ電話機が個別動作モードに復帰する際に該個別動作モードの設定値を復元することができるようになる。
【００２３】
請求項３に係る発明においては、請求項１のＩＰ電話システムにおいて、ＩＰ電話機は、バックアップ手段を備え、ＩＰ電話機がネットワーク管理サーバから動作モード変更指示を受信して動作モードを変更する際、該ＩＰ電話機に設定された個別の動作モード設定値をバックアップするものであるから、各ＩＰ電話機が個別動作モードに復帰する際に該個別動作モードの設定値を復元することができるようになる。
【００２４】
請求項４に係る発明においては、ネットワーク管理サーバに各ＩＰ電話機の動作モードを稼働時間帯毎に制御する動作モードスケジュールテーブルを設け、稼働時間帯に応じて各ＩＰ電話機の動作モードを前記動作モードスケジュールテーブルに設定された動作モードに変更させるネットワーク管理サーバを提供するものであるから、各ＩＰ電話機を時間帯によって、ネットワーク管理サーバに設定した動作モードで動作させることができるようになる。従って、ＩＰ電話システム全体での省電力効果、消音効果を所期の目的としたレベルに近づけることができるようになる。
【００２５】
請求項５に係る発明においては、請求項４のネットワーク管理サーバにおいて、ネットワーク管理サーバがバックアップ手段を備え、各ＩＰ電話機がネットワーク管理サーバから動作モード変更指示を受信して動作モードを変更する際、各ＩＰ電話機毎に設定された個別の動作モード設定値をバックアップするものであるから、各ＩＰ電話機が個別動作モードに復帰する際に該個別動作モードの設定値を復元することができるようになる。
【００２６】
請求項６に係る発明においては、ＩＰ電話機は、バックアップ手段を備え、ＩＰ電話機がネットワーク管理サーバから動作モード変更指示を受信して動作モードを変更する際、該ＩＰ電話機に設定された個別の動作モード設定値をバックアップするものであるから、各ＩＰ電話機が個別動作モードに復帰する際に該個別動作モードの設定値を復元することができるようになる。
【発明を実施するための最良の形態】
【００２７】
以下、本発明の具体例を実施例及び図面を用いて詳細に説明する。図１は、本発明に係るネットワーク管理サーバの構成を示すブロック図、図２は、本発明に係るＩＰ電話機の構成を示すブロック図、図３は、ネットワーク管理サーバが有する管理テーブルの構成を示す図、図４は、ネットワーク管理サーバが有する動作モードスケジュールテーブルの構成を示す図、図５は、本発明に係るＩＰ電話機の動作モード変更の手順を示すフローチャートである。
【実施例】
【００２８】
図１は、本発明の実施例に係るネットワーク管理サーバの構成を示すブロック図である。本発明に係るネットワーク管理サーバ１０は、図１に示すように、制御部１２と、入力部１３と、表示部１４と、ＬＡＮインターフェイス部１１を備えている。ネットワーク管理サーバ１０はまた、通信処理手段２２を備え、ハードディスク装置等の大容量の記憶装置２０に設けられた管理データベース２１にデータを書込み、あるいは管理データベース２１からデータを読出す。管理データベース２１には、ネットワークを介してネットワーク管理サーバ１０に接続される複数のＩＰ電話機のネットワーク設定や通信のための初期設定の値が記憶されている。また、後述するように、各ＩＰ電話機が個別に動作モードを選択して設定した個別動作モードが記憶される。
【００２９】
制御部１２は、状態監視手段１２１、時間監視手段１２２、モード変更手段１２３、設定値処理手段１２４、動作モードスケジュールテーブル１２５を備えている。状態監視手段１２１は、ＩＰ電話機の状態を監視し、状態の変化に応じた機能を実行させる。例えば、ＩＰ電話機の電源のオン・オフを監視し、また、呼接続の対象となったＩＰ電話機の通話の開始切断、異常状態を監視する等の処理を行う。時間監視手段１２２は、時間を監視し、動作モードスケジュールテーブル１２５に設定された時間帯になると、当該時間帯に対応して設定されている動作モードを判断して、モード変更手段１２３が各ＩＰ電話機に動作モードの変更指示を出す。また、モード変更手段１２３にはバックアップ手段１２３１を備えており、ネットワーク管理サーバ１０からＩＰ電話機の動作モードを変更する際にＩＰ電話機側の個別動作モード設定をバックアップするが、その処理については後述する。
【００３０】
設定値処理手段１２４は、ネットワーク管理者からのコマンドや利用者からのメッセージにより管理データベース２１やＩＰ電話機の設定値を設定したり、編集したりするものであり、登録手段１２４１、セット手段１２４２、編集手段１２４３を備えている。登録手段１２４１は、ネットワーク管理者が管理データベース２１にネットワーク設定の設定値や通話のための初期設定の設定値を登録するものであり、セット手段１２４２は、登録手段１２４１によって登録された設定値をＩＰ電話機に送信して保存させるものである。また、編集手段１２４３は、ＩＰ電話機から送られるメッセージを解析し、それらにメッセージで応答を返すメッセージ処理手段１２４４を介して、ＩＰ電話機が発する管理データベース２１に関する各種設定値の登録、読出し、変更の要求等を処理する。
【００３１】
図２は、ＩＰ電話機９００の構成を示すブロック図である。図２に示すように、ＩＰ電話機９００は、音声出力のためのスピーカ９２０、音声入力のためのマイク９３０、音声コーディック９５０を有している。音声コーディック９５０は、音声の符号化と複合化、すなわち音声のアナログとディジタルの変換を行っている。この音声コーディック９５０は、その他に受話音量やマイクの感度変更の機能を備えている。ＩＰ電話機９００は、また、ディスプレイパネルによる表示部９６０、入力部９７０、制御回路９１０を備えている。制御回路９１０はマイクロプロセッサを含む論理演算回路で構成され、各種プログラムの格納されたＲＯＭ９８１、制御回路が動作する際に一時記憶として使用されるＲＡＭ９８２を用いて各部の動作を制御する。また、ＩＰ電話機９００の初期設定値などの設定値をＭＡＣアドレスと対応付けて記憶するための記憶手段であるＥＥＰＲＯＭ９８３を備えている。
【００３２】
ＥＥＰＲＯＭ９８３には、ＩＰ電話機９００の動作モードを設定する個別動作モード設定記憶部９８３１が設けられ、表示部９６０に表示されるモード設定画面や入力部９７０から動作モードの設定を行うことができる。すなわち、表示部９６０、入力部９７０は通常の表示機能、入力機能とともに個別動作モードの設定手段として機能する。動作モードとしては、省電力、消音、留守録、自動転送などのモードがあり、図２のＩＰ電話機９００の例では、省電力モードが「オン」、消音モードが「オン」、転送モードが「オン」、留守録モードが「オフ」に設定されている。消音モードの設定項目には、着信の際のメロディーを指定する設定値、転送モードの設定項目には転送先の電話番号等を指定する設定値を記憶できる。
【００３３】
ＩＰ電話機９００は、通常はこの個別の動作モード設定に従ったモードで動作しているが、後述するように、ネットワーク管理サーバ１０からの動作モード変更指示に基づいて、ネットワーク管理サーバ１０が指示する動作モードに変更して動作する。各動作モードに対応するＢＵＰ欄は、ネットワーク管理サーバ１０からの集中管理により指示される動作モードに変更した場合に、ＩＰ電話機９００側の個別動作モードの設定値をバックアップするための領域である。ネットワーク管理サーバ１０からの動作モード変更指示に対する処理、バックアップのためのＢＵＰ欄の操作については後述する。
【００３４】
図３は、ネットワーク管理サーバ１０の管理データベースの構成を示す図である。この管理データベース２１は、ネットワーク管理サーバ１０に登録された各ＩＰ電話機９００のネットワーク設定、通信のための初期設定の値を記憶する登録初期設定値欄８０１と、各ＩＰ電話機９００における個別の動作モードの設定を記憶する個別動作モード設定値欄８０２から構成され、各ＩＰ電話機のＭＡＣアドレスとＩＰアドレスをキーデータとしてその他の設定値を記録するように構成されている。初期設定の項目は、参照符号８１１で示すように、電話番号、通話管理サーバにログインするためのユーザーＩＤ、パスワード、着信先に表示する表示名、外線、内線の着信音や着信メロディーの指定などである。また、装置状態欄は、ネットワーク管理サーバ１０の状態監視手段１２１が各ＩＰ電話機９００の状態を監視してその状態を記憶するものであり、参照符号８１２に示すように、電源オンオフの状態、通話／切断の状態や異常状態などである。
【００３５】
個別動作モード設定値欄８０２の各項目および設定値は、ネットワーク管理サーバ１０がＩＰ電話機毎に図２の個別動作モード設定記憶部８３１の設定値を収集して記録するものであり、この図の場合、図２のＩＰ電話機９００における設定値が記録されている。ネットワーク管理サーバ１０は、この管理データベース２１に基づいて、各ＩＰ電話機９００の呼制御を行うものであり、例えば、特定のＩＰ電話機９００に着信があった場合には、当該ＩＰ電話機のＩＰアドレス、電話番号に基づいて接続制御する。該当するＩＰ電話機の動作モードが転送（自動転送モード）に設定されている場合は、転送先欄に設定されている転送先、例えば、携帯電話の番号が設定されていれば、該当する携帯電話に自動転送する。
【００３６】
一方、ネットワーク管理サーバ１０の動作モードスケジュールテーブル１２５は、図４に示すように、曜日毎、時間帯毎の各動作モード（省電力、消音、転送、留守録）を指定する設定値が記憶されている。例えば、就業日である月曜日〜金曜日においては、就業時間帯である９時〜１２時、１３時から２１時は各動作モードともユーザー設定で動作させ、昼休みである１２時〜１３時は、省電力、消音、転送の各動作モードが「オン」、留守録が「オフ」に設定されており、夜間である２１時〜２４時、２４時〜９時の間は、省電力、消音、留守録の各動作モードが「オン」、転送が「オフ」に設定されている。祝日、休日は夜間と同様の設定にされている。
【００３７】
前述したように、各ＩＰ電話機９００は、通常は個別動作モード設定に従ったモードで動作しているが、ネットワーク管理サーバ１０が時間監視手段１２２で時間監視を行っており、動作モードスケジュールテーブルに設定した時間帯になると、その時間帯に設定された動作モード設定値に従って、モード変更手段１２３は、各ＩＰ電話機９００に動作モードの変更指示を送る。例えば、１２時〜１３時（昼休み）の間は、各ＩＰ電話機９００に、省電力「オン」、消音「オン」、転送「オン」、留守録「オフ」のモード設定とするようにモード変更指示を送る。各動作モードが「ユーザー設定」と指定されている時間帯は、各ＩＰ電話機９００にはＩＰ電話機に設定した個別動作モード設定に従って動作させる。
【００３８】
ネットワーク管理サーバ１０から動作モード変更指示を受取ったＩＰ電話機９００は、個別動作モード設定記憶部９８３１の各動作モード設定値をネットワーク管理サーバ１０からの変更指示で指定された動作モードに変更する。この時、ＩＰ電話機９００の動作モードを個別動作モード設定に復元することができるように、個別動作モード設定記憶部９８３１に記憶された設定値をバックアップする必要がある。例えば、前述の例で昼休み（１２時〜１３時）にネットワーク管理サーバ１０のモード変更指示で変更した動作モードを、午後の就業時間帯（１３時〜２１時）に各ＩＰ電話機９００の個別動作モード設定に戻すことが必要になるからである。
【００３９】
バックアップの方法は、ネットワーク管理サーバ１０のバックアップ手段１２３１がユーザー設定の個別動作モード設定を管理データベース２１のバックアップ領域に退避させる方法でもよく、あるいは、各ＩＰ電話機９００が、個別動作モード設定記憶部９８３１のバックアップ領域（ＢＵＰ）に退避させる方法でもよい。
【００４０】
前者の場合は、時間監視手段１２２が「ユーザー設定」に戻す時間帯を検出すると、ネットワーク管理サーバ１０が各ＩＰ電話機９００にモード変更（モード復元）指示を送る。このモード変更（復元）指示には、モード変更手段１２３が管理データベース２１のバックアップ領域に退避していた各ＩＰ電話機９００の個別動作モード設定値を付加する。これにより、各ＩＰ電話機９００はネットワーク管理サーバ１０が退避していた個別動作モードの設定値を個別動作モード設定記憶部９８３１に復元することができる。後者の場合は、ネットワーク管理サーバ１０は、各ＩＰ電話機９００に個別動作モード設定への変更（復元）指示のみ送り、各ＩＰ電話機９００内で退避されていた個別動作モード設定値を個別動作モード設定記憶部９８３１に復元する処理を行えばよい。
【００４１】
次に、上記の動作モード変更の手順を図５のフローチャートにより説明する。図５は、ネットワーク管理サーバ１０のバックアップ手段１２３１がユーザー設定の個別動作モード設定を管理データベース２１のバックアップ領域に退避させる方法を例にとったフローチャートである。
【００４２】
先ず、ステップＳ１０において、ネットワーク管理サーバ１０は、時間監視手段１２２が時間監視を開始する。ステップＳ１１において、時間監視手段１２２が動作モードスケジュールテーブル１２５に設定されている動作モードにＩＰ電話機９００の動作モードを変更するタイミングであるかを判定し、モード変更を行うタイミングである場合は、ステップＳ１２に進み、モード変更手段１２３は、ＩＰ電話機９００にモード変更指示を送る。そして、ステップＳ１３でモード変更手段１２３は、動作モードスケジュールテーブル１２５に設定されている動作モード設定値を各ＩＰ電話機９００に送信する。この時、フローチャートには図示していないが、ＩＰ電話機９００から指定した動作モードへの変更完了が通知されると、バックアップ手段１２３１は、ステップＳ１４で各ＩＰ電話機９００のユーザー設定の個別動作モード設定を管理データベース２１のバックアップ領域に退避させ、管理データベースの個別動作モード設定値欄の設定値を変更された設定値、すなわち、動作モードスケジュールテーブルに指定された動作モード設定値に変更し、ステップＳ１０の時間監視のステップにリターンする。
【００４３】
ステップＳ１１で動作モード変更のタイミングでないと判定されると、ステップＳ１５で時間監視手段１２２は、各ＩＰ電話機９００の個別動作モード設定に復元させるタイミングであるかを判定する。復元させるタイミングでなければ、ステップＳ１０の時間監視のステップに戻り、各ＩＰ電話機９００の個別動作モード設定に復元させるタイミングである場合には、バックアップ手段１２３１は、ステップＳ１６で、管理データベース２１のバックアップ領域に退避していた個別動作モード設定値を読出し、ステップＳ１７でモード変更手段１２３は、各ＩＰ電話機９００にモード復元指示を送り、バックアップ手段１２３１は、ステップＳ１６で管理データベース２１から読出した各ＩＰ電話機９００の個別動作モード設定の設定値をステップＳ１８で各ＩＰ電話機９００に送信し、ステップＳ１０の時間監視ステップにリターンする。これによりＩＰ電話機９００は、動作モードの設定を個別動作モードの設定値に復元することができる。
【００４４】
以上説明したように、本発明によれば、ネットワーク管理サーバ１０が、動作モードスケジュールテーブルに設定した時間帯毎の動作モード設定に従って、ＩＰ電話機毎にユーザーが設定した個別動作モード設定を一時的に変更し、個別動作モード設定の設定値をバックアップして、前記動作モードスケジュールテーブルに設定した動作モードに変更するものである。また、その時間帯が終了すると各ＩＰ電話機が個別動作モード設定に復元することができる。従って、ＩＰ電話システム全体としての省電力、消音効果を向上させることができる。
【図面の簡単な説明】
【００４５】
【図１】本発明に係るネットワーク管理サーバの構成を示すブロック図である。
【図２】本発明に係るＩＰ電話機の構成を示すブロック図である。
【図３】ネットワーク管理サーバが有する管理テーブルの構成を示す図である。
【図４】ネットワーク管理サーバが有する動作モードスケジュールテーブルの構成を示す図である。
【図５】本発明に係るＩＰ電話機の動作モード変更の手順を示すフローチャートである。
【図６】従来の一般的なＩＰ電話システムの構成を示す図である。
【符号の説明】
【００４６】
１０          ネットワーク管理サーバ
２１          管理データベース
１２１        状態監視手段
１２２        時間監視手段
１２３        モード変更手段
１２５        動作モードスケジュールテーブル
１２３１      バックアップ手段
１２４        設定値処理手段
１２４１      登録手段
１２４２      セット手段
１２４３      編集手段
１２４４      メッセージ処理手段
９００        ＩＰ電話機
９８３１      個別動作モード設定記憶部
【図１】
2005277694.tif 000003
【図２】
2005277694.tif 000004
【図３】
2005277694.tif 000005
【図４】
2005277694.tif 000006
【図５】
2005277694.tif 000007
【図６】
2005277694.tif 000008